(57)【要約】【課題】カーポートに取り付けた太陽電池モジュールの発電容量を増大させる。【解決手段】相互に平行な関係で地上に立設された複数の支柱１０と、支柱１０に支持された梁２０と、梁２０に支持された屋根骨組３０と、屋根骨組３０に取り付けられた光透過性屋根材４０と、光透過性屋根材４０の上に搭載された両面受光型太陽電池モジュール５０と、を有する太陽電池モジュール付きカーポート１００は、直下の地表面からの反射光・散乱光を、光透過性屋根材４０を通して両面受光型太陽電池モジュール５０に取り込むことが可能となる。このため、限られた設置スペースで、従来と比較して両面受光型太陽電池モジュール５０の発電容量を増やすことができる。【選択図】図１
0003205188.tif 000002
【実用新案登録請求の範囲】
【請求項１】
相互に平行な関係で地上に立設された複数の支柱と、
前記支柱に支持された梁と、
前記梁に支持された屋根骨組と、
前記屋根骨組に取り付けられた光透過性屋根材と、
前記光透過性屋根材の上に搭載された両面受光型太陽電池モジュールと、
を有することを特徴とする太陽電池モジュール付きカーポート。
【請求項２】
前記支柱は、高さが段階的に増大するように並べられていることを特徴とする請求項１に記載の太陽電池モジュール付きカーポート。
【請求項３】
前記光透過性屋根材は、ポリカーボネート樹脂から構成されることを特徴とする請求項１又は２に記載の太陽電池モジュール付きカーポート。
【考案の詳細な説明】
【技術分野】
【０００１】
本考案は、太陽電池モジュール付きカーポートに関する。
【背景技術】
【０００２】
従来、太陽電池モジュールを組み込んだカーポートとして、例えば、特許文献１には、折板屋根を有するカーポート本体と、支持枠に複数枚の太陽電池モジュールを組み込んで構成した太陽光発電ユニットとを備えた太陽光発電装置付きカーポートが記載されている（特許文献１）。
【先行技術文献】
【特許文献】
【０００３】
【特許文献１】特開２００２−３０７７４号公報
【考案の概要】
【考案が解決しようとする課題】
【０００４】
ところで、太陽電池モジュールを取り付けるカーポートの屋根の設置面積が限られているために、太陽電池の発電容量が限られているのが現状である。
本考案の目的は、カーポートに取り付けた太陽電池モジュールの発電容量を増大させることにある。
【課題を解決するための手段】
【０００５】
かくして本考案によれば、相互に平行な関係で地上に立設された複数の支柱と、前記支柱に支持された梁と、前記梁に支持された屋根骨組と、前記屋根骨組に取り付けられた光透過性屋根材と、前記光透過性屋根材の上に搭載された両面受光型太陽電池モジュールと、を有することを特徴とする太陽電池モジュール付きカーポートが提供される。
ここで、前記支柱は、高さが段階的に増大するように並べられていることが好ましい。
前記光透過性屋根材は、ポリカーボネート樹脂から構成されることが好ましい。
【考案の効果】
【０００６】
本考案によれば、本構成を有しない場合と比較して、屋根の設置面積が限られているカーポートに取り付けた太陽電池モジュールの発電容量を増大させることができる。
【図面の簡単な説明】
【０００７】
【図１】本実施の形態が適用される太陽電池モジュール付きカーポートの一例を説明する図である。図１（ａ）は俯瞰図であり、図１（ｂ）は図１（ａ）におけるＡ方向側から見た側面図である。
【図２】本実施の形態が適用される太陽電池モジュール付きカーポートの屋根骨組の一例を説明する概略平面図である。図２（ａ）は屋根骨組の平面図であり、図２（ｂ）は光透過性屋根材を取り付けた屋根骨組の平面図である。
【考案を実施するための形態】
【０００８】
＜太陽電池モジュール付きカーポート１００＞
図１は、本実施の形態が適用される太陽電池モジュール付きカーポート１００の一例を説明する図である。図１（ａ）は俯瞰図であり、図１（ｂ）は図１（ａ）におけるＡ方向側から見た側面図である。
図１（ａ）に示すように、太陽電池モジュール付きカーポート（以下、単に「カーポート」と記すことがある。）１００は、片側にそれぞれ２本ずつ、相互に平行な関係で地上に立設された支柱１０と、支柱１０に支持された梁２０と、梁２０に支持された屋根骨組３０、後述するように屋根骨組３０の上に取り付けられた光透過性屋根材４０（図１（ｂ）参照）と、光透過性屋根材４０の上に搭載された６枚の両面受光型太陽電池モジュール５０と、を有している。本実施の形態では、両面受光型太陽電池モジュール５０は受光面を上にしてそれぞれ縦置きに取り付けられている。ここで、縦置きとは、平面が長方形の両面受光型太陽電池モジュール５０を、長尺の側端部を棟側−軒側方向と平行になるように取り付けることをいう。尚、両面受光型太陽電池モジュール５０の短尺の側端部を棟側−軒側方向と平行になるように取り付けてもよい（横置き）。屋根骨組３０の軒側の端部には樋６０が設けられている。梁２０を支持する支柱１０の下部には、基礎コンクリート７０が埋設されている。
【０００９】
図１（ｂ）に示すように、カーポート１００の片側の地面８０上にそれぞれ２本ずつ立設された支柱１０は、カーポート１００の軒側から棟側に向けて高さが段階的に増大するように並べられ、屋根骨組３０を棟側から軒側に向けて傾斜する片流れ式になるように支持している。支柱１０に支持された梁２０には、屋根骨組３０が支持されている。屋根骨組３０は、棟側端部の前枠３２１と軒側端部の後枠３２２と、両側端部の２個の側枠３１１を有している。後述するように、屋根骨組３０には光透過性屋根材４０（図２（ｂ）参照）が取り付けられ、さらに光透過性屋根材４０の上に両面受光型太陽電池モジュール５０が搭載されている。
【００１０】
＜屋根骨組３０＞
図２は、本実施の形態が適用される太陽電池モジュール付きカーポート１００の屋根骨組３０の一例を説明する概略平面図である。図２（ａ）は屋根骨組３０の平面図であり、図２（ｂ）は光透過性屋根材４０を取り付けた屋根骨組３０の平面図である。
図２（ａ）に示すように、屋根骨組３０は、棟側端部の前枠３２１と軒側端部の後枠３２２と、前枠３２１及び後枠３２２と直交する両側端部の２個の側枠３１１とにより外周部が構成されている。両側端部の２個の側枠３１１の間には、支柱１０に支持された梁２０と直交するように設けた３本の母屋３１が渡されている。前枠３２１と後枠３２２との間には、梁２０と平行になるように母屋３１に支えられた５本の垂木３２が渡されている。尚、合計６枚の両面受光型太陽電池モジュール５０（図１（ａ）参照）の外周を点線で示している。
【００１１】
図２（ｂ）に示すように、屋根骨組３０に光透過性屋根材４０が取り付けられている。光透過性屋根材４０は、３本の母屋３１に支えられた５本の垂木３２の上に取り付けられる。本実施の形態では、光透過性屋根材４０の外周部は屋根骨組３０の外枠（前枠３２１、後枠３２２及び２個の側枠３１１）に固定されている。
【００１２】
＜光透過性屋根材４０＞
本実施の形態における光透過性屋根材４０は、一般に、「透明プラスチック材料」や「光透過性樹脂」等として知られている樹脂材料であって、可視光のＪＩＳ  Ｋ  ７３６１−１光線透過率（％）が、少なくとも８５％以上、好ましくは９０％以上の性能を有するプラスチック材料から構成されている。光透過性屋根材４０を設けることにより、カーポート１００直下の地表面からの反射光・散乱光を、両面受光型太陽電池モジュール５０に取り込むことができる。
【００１３】
このようなプラスチック材料の具体例としては、例えば、アクリル樹脂（例えば、ポリメタクリル酸メチル樹脂（光線透過率：９２％〜９３％）等）、ポリカーボネート樹脂（光線透過率：８７％〜９０％）、ポリスチレン樹脂（光線透過率：８８％〜９０％）、アクリロニトリルスチレン樹脂（光線透過率：９０％）、ＭＳ樹脂（メタクリル酸メチル−スチレン共重合体）（光線透過率：９０％）等が挙げられる。さらに、硬質塩化ビニル樹脂、繊維強化プラスチック（ＦＲＰ）等も使用可能である。本実施の形態では、ポリカーボネート樹脂を用いて光透過性屋根材４０を構成している。
【００１４】
光透過性屋根材４０の厚さは特に限定されないが、本実施の形態では、１ｍｍ〜３ｍｍ、好ましくは２ｍｍ〜２．８ｍｍの範囲で、適宜決められる。
【００１５】
＜両面受光型太陽電池モジュール５０＞
本実施の形態で使用する両面受光型太陽電池モジュール５０の構造は、両面受光可能なものであれば特に限定されない。例えば、公知の以下の構造のものが挙げられる。
（１）両面受光型発電セルを、両面から２枚の透明な板状体（例えば、強化ガラス板等）で挟み込んで封着した太陽電池モジュール。
（２）２枚の片面受光型発電セルを、受光面を外側にして背中合わせに重ね、両面から２枚の透明な板状体で挟み込んで封着した太陽電池モジュール。
（３）２枚の片面受光型の太陽電池モジュールを、板状の支持部材を介して背中合わせにして一体化した太陽電池モジュール。
【００１６】
両面受光型太陽電池モジュール５０の大きさは、例えば、厚さ４０ｍｍ〜１００ｍｍ程度、幅６５０ｍｍ〜１，０００ｍｍ程度、長さ１，３００ｍｍ〜２，０００ｍｍ程度の範囲である。本実施の形態では、両面受光型太陽電池モジュール５０の大きさは、厚さ４５ｍｍ×幅１，０００ｍｍ×長さ１，３３８ｍｍ、または、厚さ４５ｍｍ×幅１，０００ｍｍ×長さ１，６５４ｍｍである。尚、図示しないが、両面受光型太陽電池モジュール５０の表面側（受光面）には強化ガラス板が設けられている。
【００１７】
尚、両面受光型太陽電池モジュール５０の構造は特に限定されず、例えば、アモルファスシリコーン（ａ−Ｓｉ）型太陽電池が挙げられる。一般に、アモルファスシリコーン（ａ−Ｓｉ）型太陽電池は、標準青板ガラス基板上にＳｉＯ２とＳｎＯ２の２層からなる透明電極、ｐ／ｉ／ｎ（又はｎ／ｉ／ｐ）型のアモルファスシリコーンからなる発電膜及びＡｌからなる裏面電極を順次積層した構成となっている。
【００１８】
以上、詳述したように、両面受光型太陽電池モジュール５０と光透過性屋根材４０を組み合わせてカーポート１００に搭載することにより、カーポート１００直下の地表面からの反射光・散乱光を、光透過性屋根材４０を通して両面受光型太陽電池モジュール５０に取り込むことが可能となる。このため、カーポート１００を設置する限られた設置スペースで、従来と比較して両面受光型太陽電池モジュール５０の発電容量を増やすことができる。
【符号の説明】
【００１９】
１０…支柱、２０…梁、３０…屋根骨組、３１…母屋、３２…垂木、４０…光透過性屋根材、５０…両面受光型太陽電池モジュール、６０…樋、７０…基礎コンクリート、８０…地面、１００…太陽電池モジュール付きカーポート、３１１…側枠、３２１…前枠、３２２…後枠
【図１】
0003205188.tif 000003
【図２】
0003205188.tif 000004